(57)【要約】【課題】ユーザの視覚特性を精度良く測定することができる測定装置及びユーザの視覚特性に応じて表示画像を精度良く補正することができる画像表示装置を提供する。【解決手段】画像表示装置の画面に表示させた色票を用いてユーザの視覚特性を測定する測定手段と、前記画面とユーザとの間の視距離を検出する検出手段と、基準視距離においてユーザが前記色票を観察するときに知覚する色と、前記検出手段により検出される視距離においてユーザが前記色票を観察するときに知覚する色と、の色差を算出する算出手段と、前記算出手段により算出される色差に応じて前記測定手段による測定結果を補正するか、前記画面に表示させる色票を補正するか、又は、前記測定手段による測定処理を停止する制御手段と、を備える測定装置。【選択図】図１
2015173891.tif 000002
【特許請求の範囲】
【請求項１】
画像表示装置の画面に表示させた色票を用いてユーザの視覚特性を測定する測定手段と、
前記画面とユーザとの間の視距離を検出する検出手段と、
基準視距離においてユーザが前記色票を観察するときに知覚する色と、前記検出手段により検出される視距離においてユーザが前記色票を観察するときに知覚する色と、の色差を算出する算出手段と、
前記算出手段により算出される色差に応じて前記測定手段による測定結果を補正するか、前記画面に表示させる色票を補正するか、又は、前記測定手段による測定処理を停止する制御手段と、
を備える測定装置。
【請求項２】
前記制御手段は、前記算出手段により算出される色差が閾値以上である場合に、前記補正又は前記測定処理の停止を行う請求項１に記載の測定装置。
【請求項３】
前記測定手段は、画面に表示させた色の異なる複数の色票のうちいずれかをユーザに選択させ、ユーザにより選択された色票の色を測定結果として出力するものであり、
前記制御手段は、前記測定手段による測定結果を補正する場合、前記選択された色票の色を前記色差を用いて補正する請求項１又は２に記載の測定装置。
【請求項４】
前記測定手段は、印刷した所定の色票と同じ色に知覚される色票を画面に表示させた色の異なる複数の色票のうちからユーザに選択させる請求項３に記載の測定装置。
【請求項５】
前記基準視距離は、前記測定手段が測定処理を開始したときに前記検出手段により検出された視距離であり、
前記算出手段は、前記基準視距離においてユーザが前記色票を観察するときに知覚する色と、前記検出手段により検出された視距離においてユーザが前記色票を観察するときに知覚する色と、の色差を算出する請求項３又は４に記載の測定装置。
【請求項６】
前記制御手段は、前記画面に表示させる色票を補正する場合、補正前の色票を基準視距離においてユーザが観察したときに知覚する色と、補正後の色票を前記検出される視距離においてユーザが観察したときに知覚する色と、が同じになるように、色票の補正を行う請求項１又は２に記載の測定装置。
【請求項７】
前記制御手段は、前記測定処理を停止する場合、視距離が近すぎる又は離れすぎていることをユーザに通知する請求項１又は２に記載の測定装置。
【請求項８】
前記制御手段は、前記測定処理を停止する場合、前記検出手段により検出される視距離に基づき、ユーザが視距離を基準視距離に近づけることを支援する通知を行う請求項１，２，及び７のいずれか１項に記載の測定装置。
【請求項９】
前記算出手段は、定期的に前記色差の算出を行い、
前記制御手段は、前記測定処理を停止した後、前記算出手段により算出される色差が閾値より小さくなった場合、前記測定処理を再開する請求項１，２，７，及び８のいずれか１項に記載の測定装置。
【請求項１０】
ユーザからユーザの年齢に関する情報の入力を受け付ける入力手段をさらに備え、
前記制御手段は、前記入力手段に入力された前記年齢の情報に基づき前記閾値を変更する請求項２に記載の測定装置。
【請求項１１】
前記算出手段は、前記基準視距離においてユーザが前記色票を観察するときの第１の視角と、前記検出手段により検出される視距離においてユーザが前記色票を観察するときの第２の視角と、を算出し、前記第１の視角と前記第２の視角とに基づき前記色差を算出する請求項１〜１０のいずれか１項に記載の測定装置。
【請求項１２】
前記算出手段は、前記色票の表示サイズの情報を取得し、前記基準視距離と前記色票の表示サイズとに基づき前記第１の視角を算出し、前記検出手段により検出される視距離と前記色票の表示サイズとに基づき前記第２の視角を算出する請求項１１に記載の測定装置。
【請求項１３】
前記算出手段は、前記第１の視角に対応する等色関数の情報と、前記第２の視角に対応する等色関数の情報と、前記画像表示装置の分光特性の情報と、を取得し、前記等色関数と前記分光特性とに基づき前記色差を算出する請求項１１又は１２に記載の測定装置。
【請求項１４】
前記分光特性は、前記画像表示装置に前記色票を表示させたときの分光特性である請求項１３に記載の測定装置。
【請求項１５】
前記算出手段は、基準の視角で前記色票を観察したときに知覚される色と、前記基準の視角と異なる視角で前記色票を観察したときに知覚される色と、の予め求められた色差の情報を複数の視角について取得し、当該情報と、前記第１の視角と、前記第２の視角と、に基づき、補間計算により、前記色差を算出する請求項１１又は１２に記載の測定装置。
【請求項１６】
請求項１〜１５のいずれか１項に記載の測定装置と、
前記測定装置により測定されたユーザの視覚特性に基づき画像表示を補正する補正手段と、
を備える画像表示装置。
【請求項１７】
画像表示装置の画面に表示させた色票を用いてユーザの視覚特性を測定する測定工程と、
前記画面とユーザとの間の視距離を検出する検出工程と、
基準視距離においてユーザが前記色票を観察するときに知覚する色と、前記検出工程により検出される視距離においてユーザが前記色票を観察するときに知覚する色と、の色差を算出する算出工程と、
前記算出工程により算出される色差に応じて前記測定工程による測定結果を補正するか、前記画面に表示させる色票を補正するか、又は、前記測定工程による測定処理を停止する制御工程と、
を有する測定装置の制御方法。
【請求項１８】
請求項１７に記載の測定装置の制御方法によって得られたユーザの視覚特性の情報を取得する取得工程と、
前記取得工程により取得されたユーザの視覚特性に基づき画像表示を補正する補正工程と、
を有する画像表示装置の制御方法。
【発明の詳細な説明】
【技術分野】
【０００１】
本発明は、測定装置、画像表示装置、及びその制御方法に関する。
【背景技術】
【０００２】
ディスプレイの個体差や劣化による色ずれを修正し正確に色を表示するための、キャリブレーションと呼ばれる色調整（色校正）機能を搭載するカラーマネジメントディスプレイがある。カラーマネジメントディスプレイを利用して、印刷結果をディスプレイ上で色校正して確認するソフトプルーフがある。最近では、ディスプレイの色再現性、色正確性、精細度が向上して、最終的な印刷の仕上がりをディスプレイ上でシミュレーションするソフトプルーフが実用的になってきた。ソフトプルーフでは、紙に印刷された色のＸＹＺ値とディスプレイで表示される色のＸＹＺ値を一致させるように調整する。ＸＹＺ値とは、人の目の錐体への刺激値を表したものであり、人は目に入った光を目の網膜細胞にあるＳ錐体、Ｍ錐体、Ｌ錐体の３種類の錐体によって感知し、信号に変換して脳で色を感じる。
【０００３】
しかしながら、錐体の特性、すなわち色の見え方には個人差があるため、ディスプレイで表示される色のＸＹＺ値と、紙に印刷された色のＸＹＺ値が一致していても、同じ色に見えないことがある。そこで、観察者（ユーザ）の視覚特性を測定し、色の見え方の傾向をディスプレイの表示色に反映することで、それぞれの観察者が正しい色で知覚することを図る技術がある。例えば、比較評価するためのパッチを印刷物とディスプレイ双方でユーザに提示し、両者の色が一致するようにディスプレイを調整する方法がある。
【０００４】
また、印刷物とディスプレイの色を比較観察するときに、観察者とディスプレイの間の距離によっても色の感じ方が異なる。印刷物やディスプレイなどを見て人が色を感じる際、観察対象の“見えの大きさ”（視角）によって、色の感じ方が異なることが知られている。例えば、同じ色だが大きさの異なる２つの色票を用意し、観察者がこの２つの色票を見た場合、２つの色票の色が異なるように感じる。この現象は、“色の面積効果”と呼ばれており、目の視細胞感度、すなわち分光視感度特性（等色関数とも呼ばれる）が面積によって変化することが原因と考えられている。国際照明委員会（略称ＣＩＥ）では上記現象に鑑み、分光分布から色を算出する際に使用する等色関数を２種類定義している。“見えの大きさ”（視角）が２度の場合（２度視野）の等色関数（ＣＩＥ１９３７標準観測者）と、１０度の場合（１０度視野）の等色関数（ＣＩＥ１９６４補助標準観測者）である。
【０００５】
このような等色関数と、ディスプレイに表示される色を人間が感じる仕組みの関係について、図１４を用いて説明する。人間の目の視細胞には、赤緑青の色を感知する分光感度の異なる錐体細胞があり、人は脳の中で赤緑青として感じる大きさを足し合わせることで色を認識する。その目の赤緑青ごとの感度の分光分布を示したのが等色関数である。波長をλとして、赤色の感度はｘ（λ）、緑色の感度はｙ（λ）、青色の感度はｚ（λ）である。２度視野と１０度視野の等色関数を図５に示す。図５において、２度視野の等色関数は、ｘ（λ）２°、ｙ（λ）２°、ｚ（λ）２°、１０度視野の等色関数は、ｘ（λ）１０°、ｙ（λ）１０°、ｚ（λ）１０°である。最終的に、人が感じる色はｘ（λ）、ｙ（λ）、ｚ（λ）から計算されるＸＹＺ表色系の三刺激値で表わされる。ＸＹＺ三刺激値のうち、Ｘは赤色に対する刺激量、Ｙは緑色に対する刺激量、Ｚは青色に対する刺激量である。図１４では、ＲＧＢのＬＥＤバックライトを有するディスプレイで白色の色票を表示したときの分光スペクトルｓ（λ）を示している。ディスプレイの分光スペクトルｓ（λ）と等色関数ｘ（λ）、ｙ（λ）、ｙ（λ）それぞれとの積を積分した値が人が感じる
刺激量であり、それらを足し合わせた刺激量により人は白色を認識する。２度視野のときのＸＹＺ算出式を式１、１０度視野のときのＸＹＺ算出式を式２に示す。ｋは係数である。なお、下記の式では積分を離散値の和に置き換えている。
【数１】
2015173891.tif 000003
【数２】
2015173891.tif 000004
【０００６】
ＸＹＺとＸ’Ｙ’Ｚ’の値が大きく異なる場合は、ディスプレイに表示された色票を見たときに２度視野と１０度視野で異なる色として認識される。どの程度人の目に違ってみえるかは、色差ΔＥによって表現される。ＸＹＺの値をＬａｂ空間の値に変換して、式３で表されるユークリッド距離を算出したものがΔＥである。ΔＥが１．２程度なら並べて同一色であると識別できる。
【数３】
2015173891.tif 000005
【０００７】
ディスプレイで画像を観察する際に、ディスプレイの表示サイズが一定であっても、視距離が変化すると視角が変わるため、色が変わって見えてしまうことがある。例えば、５ｃｍ×５ｃｍの矩形画像を６０ｃｍの距離から観察したときと、１０ｃｍ近付いて５０ｃｍから観察したときとでは、視角が約１度変化し、例えば、あるディスプレイではこれらの間の見えの色差（ΔＥ)は１．８ほどになる。また、印刷物を観察するときと比べて、
ディスプレイで画像を観察するときのほうが、視角が見えの色に与える影響が大きい傾向にある。特に、近年、ディスプレイは、液晶パネルとＲＧＢのＬＥＤ（発光ダイオード）を組み合わせて広い色再現性を実現しており、このＬＥＤの分光特性は図４のように急峻な形をしているため、見えの色は視角の影響を受けやすい。
【０００８】
特許文献１には、観察者とディスプレイの間の距離に応じてディスプレイに表示する画像のサイズを変更することにより、画像を常に同じ視角で観察できるようにすることが記載されている。また、特許文献２には、ディスプレイの画面サイズと、ディスプレイとユーザとの距離に応じて、輝度及び色度を補正することが記載されている。印刷物とディスプレイに表示された画像とを比較する場合、印刷物を観察するときの視距離とディスプレイとユーザの視距離とを合わせ、また、印刷物のサイズとディスプレイの画像の表示サイズとを合わせる必要がある。特許文献１の技術では、ディスプレイの画像の表示サイズを
変更するため、ディスプレイの画像の表示サイズと印刷物のサイズとを合わせることができない。特許文献２の技術では、ディスプレイの画面サイズに合わせて輝度及び色度を補正するため、ディスプレイに表示される画像と印刷物との比較を正確に行えない。
【先行技術文献】
【特許文献】
【０００９】
【特許文献１】特開２００７−１５８７８７号公報
【特許文献２】特開２００７−３２２８５０号公報
【発明の概要】
【発明が解決しようとする課題】
【００１０】
色の感じ方（視覚特性、等色関数）には個人差があるため、同じ画素値の画像でも観察者によって異なる色に感じられる。同じ画像を表示しても観察者によって見え方が異なってしまうと、印刷物の仕上がりをディスプレイで確認するといったような作業を行うために不都合である。そこで、視覚特性の個人差を考慮して表示する画像を補正する必要がある。ユーザの視覚特性を測定するために、印刷したパッチとディスプレイに表示したパッチを並べて比較する作業を行う場合がある。このような測定処理では、比較的小さい表示サイズのパッチに注目して観察することになるため、視距離の変化に起因する視角の変化量が大きく、知覚される色の変化も大きい。そのため、精度良くユーザの視覚特性を測定することができないという問題がある。
【００１１】
本発明は、ユーザの視覚特性を精度良く測定することができる測定装置及びユーザの視覚特性に応じて表示画像を精度良く補正することができる画像表示装置を提供することを目的とする。
【課題を解決するための手段】
【００１２】
本発明は、画像表示装置の画面に表示させた色票を用いてユーザの視覚特性を測定する測定手段と、
前記画面とユーザとの間の視距離を検出する検出手段と、
基準視距離においてユーザが前記色票を観察するときに知覚する色と、前記検出手段により検出される視距離においてユーザが前記色票を観察するときに知覚する色と、の色差を算出する算出手段と、
前記算出手段により算出される色差に応じて前記測定手段による測定結果を補正するか、前記画面に表示させる色票を補正するか、又は、前記測定手段による測定処理を停止する制御手段と、
を備える測定装置である。
【００１３】
本発明は、画像表示装置の画面に表示させた色票を用いてユーザの視覚特性を測定する測定工程と、
前記画面とユーザとの間の視距離を検出する検出工程と、
基準視距離においてユーザが前記色票を観察するときに知覚する色と、前記検出工程により検出される視距離においてユーザが前記色票を観察するときに知覚する色と、の色差を算出する算出工程と、
前記算出工程により算出される色差に応じて前記測定工程による測定結果を補正するか、前記画面に表示させる色票を補正するか、又は、前記測定工程による測定処理を停止する制御工程と、
を有する測定装置の制御方法である。
【発明の効果】
【００１４】
本発明によれば、ユーザの視覚特性を精度良く測定することができる測定装置及びユー
ザの視覚特性に応じて表示画像を精度良く補正することができる画像表示装置が提供される。
【図面の簡単な説明】
【００１５】
【図１】実施例１の画像表示装置１００の構成を示すブロック図
【図２】実施例１の処理フローを示す図
【図３】実施例１のユーザの視覚特性測定時の画面を示す図
【図４】実施例１の画像表示装置１００の分光特性を示す図
【図５】実施例１の等色関数記憶部１１０が保持する等色関数を示す図
【図６】実施例１の基準視距離に対する色差を示す図
【図７】実施例１の画像パッチの色度を示す図
【図８】実施例２の画像表示装置８００の構成を示すブロック図
【図９】実施例２の処理フローを示す図
【図１０】実施例３の画像表示装置１０００の構成を示すブロック図
【図１１】実施例３の処理フローを示す図
【図１２】実施例３のガイダンスを示す図
【図１３】実施例１において年齢によって色差変化の閾値を変化させる例を示す図
【図１４】画像表示装置１００の分光特性と等色関数の関係を説明した図
【図１５】実施例の変形例を示した図
【発明を実施するための形態】
【００１６】
以下、本発明による測定装置、画像表示装置、及びその制御方法の実施例について説明する。
【００１７】
（実施例１）
実施例１は、ユーザの視覚特性の測定開始時の視距離を基準視距離とし、パッチを表示してユーザの視覚特性を測定中に、視距離が基準視距離に対して一定以上動いた場合に、視覚特性の測定結果を補正することを特徴する。
【００１８】
≪処理ブロック≫
以下、実施例１について、図面を用いて説明する。図１は、実施例１の画像表示装置１００の構成を示す図である。画像表示装置１００は、画像表示制御部１０１、パッチ表示部１０３、視覚特性測定制御部１０４、ユーザ指示部１０５、視距離センサ１０６、基準視距離決定部１０７、視角算出部１０８、色差判定部１０９、等色関数記憶部１１０、分光特性記憶部１１１、測定値補正部１１２を有する。そのうち、実施例１において特徴的な処理ブロックは、視覚特性測定制御部１０４、視角算出部１０８、色差判定部１０９、測定値補正部１１２である。実施例１では、画像表示装置１００はバックライトと、バックライトの光を画像データに応じた透過率で透過させることで画像を表示する液晶パネルと、を有する液晶表示装置とする。なお、本発明が適用可能な画像表示装置は液晶表示装置に限らない。
【００１９】
（画像表示制御部１０１）
画像表示制御部１０１は、液晶パネル制御、バックライト制御、画像処理制御を行う処理ブロックである。画像表示制御部１０１は、画像表示装置１００に入力されるＲＧＢの画像データに対してガンマ補正、色温度補正、色域補正、ムラ補正などの画像処理を施す。画像表示制御部１０１は、画像処理を施した画像データに基づく画像表示装置における画像表示を制御する。画像表示制御部１０１で行う画像処理は、画像データに基づく明るさや色を画像表示装置１００の画面上で正確に再現するための処理を含む。例えば、画像表示制御部１０１は、ガンマ補正により、画像表示装置１００の表示特性がガンマ２．２になるように、１ＤＬＵＴ（１次元ルックアップテーブル）を用いて画像データのＲＧＢ
の画素値を調整する。また、画像表示制御部１０１は、色温度補正により、指定した色温度（例えば５０００Ｋ）になるように、画像データのＲＧＢの画素値を調整する。画像表示制御部１０１は、色域補正により、ｓＲＧＢやＡｄｏｂｅＲＧＢなどの色域に基づきＲＧＢの画素値を調整する。画像表示制御部１０１は、ムラ補正により、液晶パネルやバックライトの表示ムラに応じて、表示画像の色や明るさが均一になるように、ＲＧＢの画素値を調整する。画像表示制御部１０１は、以上のような画像処理を画像データに施すことにより、適切な明るさ、色、階調特性で画像が画面に表示されるようにする。また、画像表示制御部１０１は、視覚特性測定制御部１０４からユーザの視覚特性の測定結果の情報を受け取り、ユーザの視覚特性に応じて画像表示を補正する処理を行う。すなわち、同じ画像が異なるユーザで同じ色に見えるように、ユーザの視覚特性に応じて画像表示を制御する。後述する測定値補正部１１２により測定結果が補正された場合は、画像表示制御部１０１は、補正後の測定結果に基づき画像表示を制御する。
【００２０】
（パッチ表示部１０３）
パッチ表示部１０３は、ユーザの視覚特性を測定するために、図３（Ｃ）に示すようなそれぞれ白色点が異なる複数の白色パッチを含む画像パッチ３０５を画面に表示させる処理を行う。各画像パッチ３０５に含まれる複数の白色パッチの白色点は、視覚特性測定制御部１０４からの入力（パッチ表示指示）により、Ｌａｂ色空間の値で指定される。また、視覚特性測定制御部１０４により、描画するパッチの個数、各パッチの画面上の位置（ＸＹ座標）、サイズが指定されるようにすることもできる。
【００２１】
（ユーザ指示部１０５）
ユーザ指示部１０５は、ユーザがパッチを選択する指示や、画像表示装置１００の画面上に表示されたＧＵＩ（グラフィカルユーザインターフェース）のボタン等の部品を操作する指示を、画像表示装置１００に入力するための入力手段である。入力手段は、例えばキーボード、マウス、タッチパネル等により構成される。視覚特性の測定において、ユーザは、ユーザ指示部１０５を用いて、画面上に表示された複数のパッチの中から、色の見えが、当該パッチを印刷した印刷物上のパッチの色の見えと一致するパッチを選択する指示を入力する。ユーザにより選択された画像パッチの情報は、ユーザ指示部１０５から視覚特性測定制御部１０４に出力され、視覚特性の測定結果に反映される。また、ユーザ指示部１０５は、図３（Ａ）〜図３（Ｃ）に示すような画面に表示されたＧＵＩの部品（測定ボタン３０１や完了ボタン３０４）に対する操作を指示するためのユーザの入力を受け付ける。
【００２２】
（視覚特性測定制御部１０４）
視覚特性測定制御部１０４は、ユーザの視覚特性を測定する処理を制御する。視覚特性測定制御部１０４は、印刷物と比較して評価するための画像パッチを表示するように、パッチ表示部１０３に指示する。視覚特性測定制御部１０４は、ユーザによる画像パッチの選択結果の情報を、ユーザ指示部１０５から取得する。視覚特性測定制御部１０４は、このパッチ選択結果の情報に基づき、ユーザの視覚特性の測定結果を画像表示制御部１０１へ出力する。視覚特性測定制御部１０４は、ユーザが画像パッチを選択したときに、視角算出部１０８に、現在の視角を算出するように指示する。視覚特性測定制御部１０４は、測定結果の補正を行う場合には、測定値補正部１１２から補正値を取得する。
【００２３】
（視距離センサ１０６）
視距離センサ１０６は、画像表示装置１００の表示面（液晶パネル表面）からユーザまでの距離（視距離）を測定するセンサである。視距離センサ１０６の測定結果に基づき視角が算出される。例えば、視距離センサ１０６は、赤外線発光素子と、赤外線発光素子から発せられた光の反射光を検出する受光素子と、を有し、受光素子による検出結果に基づき視距離を測定する。視距離センサ１０６の構成はこれに限らない。例えば、視距離セン
サ１０６は、レーザ光源と、レーザ光源により発せられた光が物体で反射された反射光を検出する受光素子と、を有し、発光から反射光の受光までの時間から、視距離を測定する構成でもよい。また、視距離センサ１０６は、ユーザを撮像する撮像装置（カメラ）を有し、ユーザの撮像時に顔認識を行ってユーザにピントを合わせ、そのときの光学情報により視距離を測定する構成でもよい。視距離センサ１０６は、測定した視距離の情報を、基準視距離決定部１０７及び視角算出部１０８に出力する。
【００２４】
（基準視距離決定部１０７）
基準視距離決定部１０７は、視距離センサ１０６による視距離の測定結果を用いて、ユーザの視覚特性の測定における基準となる視距離（基準視距離）を決定する。基準視距離決定部１０７は、決定した基準視距離の情報を視角算出部１０８に出力する。
【００２５】
（視角算出部１０８）
視角算出部１０８は、画像表示装置１００に表示されたパッチをユーザが観察するときの視角（視野角）を視距離センサ１０６により測定される視距離に基づき算出する。視角算出部１０８は、視距離とパッチのサイズに基づき、視角を算出する。視角算出部１０８は、視距離センサ１０６から視距離の情報を取得し、画面に表示されているパッチのサイズの情報をパッチ表示部１０３から取得する。また、視角算出部１０８は、基準視距離決定部１０７から基準視距離の情報を取得し、基準視距離における視角を算出する。視角算出部１０８は、算出した視角の情報（基準視距離における視角の情報と現在の視距離における視覚の情報）を色差判定部１０９に出力する。
【００２６】
（等色関数記憶部１１０）
等色関数記憶部１１０は、種々の視角（視野角）における等色関数の情報を記憶している。例えば、図５のように、２度視野の等色関数と１０度視野の等色関数を波長３８０ｎｍ〜７８０ｎｍの範囲で記憶している。
【００２７】
（分光特性記憶部１１１）
分光特性記憶部１１１は、予め分光測色器で測定した画像表示装置１００の分光特性の情報を記憶している。分光特性記憶部１１１は、色差判定部１０９の指示に応じて、画像表示装置１００の分光特性の情報を出力する。分光特性記憶部１１１は、画像表示装置１００の分光特性として、図４に示すように、人間の目に色として感じる波長帯域である３８０ｎｍ〜７８０ｎｍにおける画像表示装置１００からの光の強度の情報を記憶している。ユーザの視覚特性の測定では、白色のパッチを印刷物と画像表示装置１００の表示とで比較するため、分光特性記憶部１１１は、白色のパッチを表示したときの画像表示装置１００の分光特性を記憶している。その他の色のパッチを用いて視覚特性の測定を行う場合には、用いるパッチに応じた分光特性を記憶させておくものとする。
【００２８】
（色差判定部１０９）
色差判定部１０９は、ユーザの視覚特性を測定中にユーザが動いて視距離が変化した場合に、視距離の変化によってどの程度、色の見えの違い（色差）が生じるか算出し、算出結果を測定値補正部１１２に出力する。色差判定部１０９は、測定の基準である基準視距離におけるパッチの見えの色（知覚される色）と、現在の視距離におけるパッチの見えの色の違い（色差）を算出する。色差判定部１０９は、視角算出部１０８から基準視距離における視角の情報と、現在の視距離における視角の情報と、を取得する。色差判定部１０９は、等色関数記憶部１１０から、基準視距離における視覚と現在の視距離における視角とのそれぞれに対応する等色関数の情報を取得する。色差判定部１０９は、分光特性記憶部１１１から画像表示装置１００に白色パッチを表示したときの分光特性Ｓ（λ）の情報を取得する。色差判定部１０９は、基準視距離における視角に対応する等色関数と分光特性Ｓ（λ）との積、及び、現在視距離における視角に対応する等色関数と分光特性Ｓ（λ
）との積を算出し、式３によりＬａｂ値で色差ΔＥを算出する。色差判定部１０９は、算出した色差ΔＥの情報を測定値補正部１１２に出力する。色差ΔＥは、同じパッチの基準視距離における見えの色と現在の視距離における見えの色との差である。
【００２９】
（測定値補正部１１２）
測定値補正部１１２は、色差判定部１０９から色差ΔＥの算出結果を取得し、色差ΔＥが許容範囲を超えている場合、ユーザの視覚特性の測定結果を補正するための補正値を視覚特性測定制御部１０４へ出力する。ユーザの現在の視距離が基準視距離から一定以上変化した場合、色差ΔＥが許容範囲を超えることになる。測定結果の補正については後述する。
【００３０】
≪処理フロー≫
次に、画像表示装置１００におけるユーザの視覚特性の測定中にユーザが動いて視距離が変化したときに、ユーザの視覚特性の測定結果を補正する処理のフローについて説明する。実施例１では、以下のような方法でユーザの視覚特性を測定する。すなわち、画像表示装置１００は、画面に表示した白色パッチの中から、見えの色が、印刷した白色パッチの色と一致するパッチを、ユーザに選択させ、当該選択結果に基づき、ユーザの視覚特性を求める。この視覚特性の測定では、ユーザにパッチを選択させる工程を複数回繰り返す。以下の処理フローの説明では、ユーザにパッチを選択させる工程を２回行う場合を例に説明する。そして、１回目のパッチ選択ではユーザが大きく動かなかったために測定結果の補正を行わず、２回目のパッチ選択ではユーザが動いたために測定結果を補正する場合を例に説明する。なお、この状況は説明のための例示であって、本発明の適用はこのような状況に限られない。
【００３１】
（Ｓ２０１）
まず、ステップＳ２０１において、視覚特性測定制御部１０４は、ユーザの視覚特性の測定前に、図３（Ａ）に示すようなガイダンス画面の表示をパッチ表示部１０３に指示し、視覚特性測定時の基準となる基準視距離を設定するための処理を行う。ユーザは、画像表示装置１００との距離を任意に調整したのち、ユーザ指示部１０５を用いて、ガイダンス画面を構成するＧＵＩにおいて測定開始の指示を入力する。図３（Ａ）の例では、測定ボタン３０１を選択する操作を行う。ユーザが測定ボタン３０１を選択する操作を行ったことを示す情報がユーザ指示部１０５から入力されると、視覚特性測定制御部１０４は、視角算出部１０８に、視距離を測定するように指示する。指示を受けた視角算出部１０８は、視距離センサ１０６に画像表示装置１００とユーザの間の視距離の測定を指示する。視距離センサ１０６による視距離の測定が行われると、基準視距離決定部１０７は、測定結果を取得する。基準視距離決定部１０７は、取得した視距離の測定結果を基準視距離として決定する。実施例１では、基準視距離を５７ｃｍとして説明する。
【００３２】
（Ｓ２０２）
次に、ステップＳ２０２において、ユーザは、図３（Ｂ）に示すように画像表示装置１００の表示色と比較するための印刷評価パッチ３０２を、画像表示装置１００の表示面に合わせて設置する。印刷評価パッチ３０２上に横一列に並んだ５つの白色パッチ３０３の各サイズは、５ｃｍ×５ｃｍの矩形であり、すべて同じ色で印刷されている。印刷評価パッチ３０２の設置が完了したら、ユーザはＧＵＩにおける完了ボタン３０４を選択する操作を行う。視覚特性測定制御部１０４は、ユーザ指示部１０５から完了ボタン３０４が選択されたことを示す通知を受け取ると、次のＳ２０３に進む。
【００３３】
（Ｓ２０３）
ステップＳ２０３において、視覚特性測定制御部１０４は、図３（Ｃ）に示すようにパッチ表示部１０３に印刷評価パッチ３０２と比較するための画像パッチ３０５を表示させ
る指示を出す。パッチ表示部１０３は、画像表示制御部１０１に印刷評価パッチ３０２と同じサイズ、同じ個数の白色パッチ３１１〜３１５から構成される画像パッチ３０５を表示させる。このとき、パッチ表示部１０３は、中央の画像パッチ３１１の色が印刷評価パッチ３０２の白色パッチ３０３と同じＸＹＺ値になるように画像パッチ３１１を表示する。パッチ表示部１０３は、その他の４つの画像パッチについては、画像パッチ３１１に対し、Ｌａｂ色空間上で、図７（Ａ）のようにそれぞれ異なる色度方向（＋ａ方向、＋ｂ方向、−ａ方向、−ｂ方向）にずらした色で表示する。図７（Ａ）は、中央の画像パッチ３１１の色度７０１を原点として、他の画像パッチのＬａｂ色空間における色度を示したものである。輝度Ｌは各画像パッチで一致しているものとする。図７（Ａ）において、画像パッチ３１２の色度は符号７０２、画像パッチ３１３の色度は符号７０５、画像パッチ３１４の色度は符号７０４、画像パッチ３１５の色度は符号７０３で示している。ステップＳ２０３の処理により、図３（Ｃ）に示すように、画像表示装置１００の画面上で、ユーザの視覚特性を測定するための印刷評価パッチ３０２と画像パッチ３０５とを並べて観察可能になる。
【００３４】
（Ｓ２０４）
ステップＳ２０４において、ユーザは印刷評価パッチ３０２の白色パッチ３０３の見えの色と一致する、又は最も近いと感じる色の白色パッチを画像パッチ３０５の中から選択する。ユーザは、ユーザ指示部１０５を用いて、インジケータ３０６を動かす指示を入力するための操作を行い、印刷評価パッチ３０２の白色パッチ３０３の色に最も近いと感じる画像パッチを画像パッチ３０５の中から選択する。ここで、ユーザは画像パッチ３１４を選択したものとする。ユーザが画像３１４を選択すると、ユーザ指示部１０５は、視覚特性測定制御部１０４に、パッチ選択結果を通知する。視覚特性測定制御部１０４は、ユーザ指示部１０５から白色パッチ３１４の選択結果の通知を受け取ると、Ｓ２０５に進む。
【００３５】
（Ｓ２０５）
ステップＳ２０５において、視覚特性測定制御部１０４は、視角算出部１０８に視角を算出するように指示する。視角算出部１０８は、視距離センサ１０６から現在の視距離を取得して、その視距離とパッチ表示部１０３から取得するパッチの表示サイズ（パッチサイズ）に基づき、現在ユーザが観察している白色パッチの視角を算出する。視角をｄ［ｄｅｇ］、パッチサイズをＳ［ｃｍ］、視距離をＬ［ｃｍ］とすると、視角ｄ［ｄｅｇ］は以下の式４で求められる。
【数４】
2015173891.tif 000006
【００３６】
ここで、視距離と視角の関係について説明する。例えば、視距離が６０ｃｍで、画像表示装置１００のパッチサイズの一辺が５．０ｃｍのとき、ほぼ５度視野となる。一方、パッチサイズが同じで視距離が５０ｃｍの場合は、ほぼ６度視野になる。つまり、視距離が近いほど視角は大きくなる。パッチサイズが５．０ｃｍ、現在の視距離が５８ｃｍとすると、式４により計算される視角は４．９３となる。さらに、視角算出部１０８はステップＳ２０１で決定した基準視距離における白色パッチの視角も算出する。基準視距離は５７ｃｍであるから、視角は５．０１となる。視角算出部１０８は、算出した基準視距離（５７ｃｍ）における視角（５．０１）の情報と現在の視距離（５８ｃｍ）における視角（４．９３）の情報を、色差判定部１０９に出力する。
【００３７】
ステップＳ２０６〜ステップＳ２０９において、色差判定部１０９は、ユーザが動いて
視距離が変化することによる見えの色の変動（色差）を算出して、色差が許容範囲を超えているか判定する。色差判定部１０９は、視角算出部１０８から取得した現在のユーザの視距離と基準視距離決定部１０７から取得した基準視距離に基づいて、色差ΔＥを算出する。そして、色差判定部１０９は、現在のユーザが見ている色が基準視距離において見える色に対してどの程度ずれているのか判定する。
【００３８】
（Ｓ２０６）
まず、ステップＳ２０６において、色差判定部１０９は等色関数記憶部１１０から、基準視距離における視角に一致する等色関数及び現在の視距離における視角に一致する等色関数を取得する。等色関数記憶部１１０が保持している等色関数の一例を図５に示す。図５は、２度視野の等色関数と１０度視野の等色関数を例示している。等色関数記憶部１１０が保持する等色関数の情報は、これら２種類の等色関数に限らない。より多くの視角に対応する等色関数の情報を保持していても良い。ここでは、基準視距離での視角は５．０１，現在の視距離での視角は４．９３である。これらの視角に対応する等色関数を等色関数記憶部１１０が記憶していない場合も考えられる。その場合、色差判定部１０９は、等色関数記憶部１１０が記憶している等色関数から、基準視距離での視角に対応する等色関数と、現在の視距離での視角に対応する等色関数を、補間計算等により算出する。
【００３９】
（Ｓ２０７）
次に、ステップＳ２０７において、色差判定部１０９は分光特性記憶部１１１から図４に示すような画像表示装置１００の分光特性Ｓ（λ）を取得する。この分光特性Ｓ（λ）は、白色パッチを表示したときの３８０ｎｍ〜７８０ｎｍの波長における光強度を示すデータであり、基準視距離における視角での見えの色と現在の視距離における視角での見えの色との色差を算出するために用いる。
【００４０】
（Ｓ２０８）
ステップＳ２０８において、色差判定部１０９は基準視距離における視角での白色パッチの見えの色と現在の視距離における視角での白色パッチの見えの色との色差ΔＥを求める。色差ΔＥは、基準視距離で白色パッチを見たときの見えの色のＬａｂ値と、現在の視距離で白色パッチを見たときの見えの色のＬａｂ値と、から求められる。Ｌａｂ値は、等色関数ｘ（λ）、ｙ（λ）、ｚ（λ）と分光特性Ｓ（λ）との積を積分して求めたＸＹＺ値から求められる。等色関数と分光特性Ｓ（λ）からＸＹＺ値を算出する式は、以下の式５である。ここで、ｋは任意の係数である。また、式５では、積分は離散値の和に置き換えてある。
【数５】
2015173891.tif 000007
【００４１】
式５により算出されるＸＹＺ値をＬａｂ値に変換し、基準視距離における視角での見えの色のＬａｂ値と、比較対象の視距離における視角での見えの色のＬａｂ値と、のユークリッド距離を計算することにより色差ΔＥが求められる。
【００４２】
なお、種々の視角での等色関数と分光特性Ｓ（λ）に基づき、基準となる視角での見えの色と他の視角での見えの色との差を予め計算しておき、図６のようなテーブルを作成し
ておいてもよい。図６は、５度視野を基準の視角とし、５度視野での白色パッチの見えの色と他の視角での白色パッチの見えの色とのＬａｂ値の差及び色差ΔＥを示したものである。図６を参照すると、例えば、５度視野でのパッチの見えの色と、４度視野でのパッチの見えの色とには、Ｌａｂ値でａ＝−１．８３、ｂ＝０．２２の差があり、ユークリッド距離により求められる色差はΔＥ＝１．８５であることがわかる。
【００４３】
図６は５度視野を基準視角とした場合のテーブルであるが、基準視距離やパッチサイズによって基準となる視角は５度視野に限らないので、種々の視角を基準視角とした複数種類のテーブルを作成しておくとよい。そして、作成したテーブルの情報を記憶装置に記憶させておくことにより、ステップＳ２０６〜ステップＳ２０８における等色関数や分光特性を用いた計算を省略することができる。この場合、色差判定部１０９は、基準視距離における視角の情報と、現在の視距離における視角の情報に基づき、適切なテーブルを記憶装置から読み出して参照する。そして、適宜補間計算することにより、基準視距離における見えの色に対する現在の視距離における見えの色の色差ΔＥの値を求めることができる。
【００４４】
例えば、前述の例では、ステップＳ２０５の計算により、基準視距離での視角が５．０１、現在の視距離での視角が４．９３である。図６の表の値から線形補間して、基準視距離での視角におけるパッチの見えの色に対する現在の視距離での視角におけるパッチの見えの色の色差ΔＥを算出すると、０．１６になる。このように予め求めておいたテーブルを参照して線形補間等の計算により基準視距離における視角での見えの色と現在の視距離における視角での見えの色との色差ΔＥを算出する場合、図２のフローのステップＳ２０６，Ｓ２０７の処理は不要である。色差判定部１０９は、ステップＳ２０５で基準視距離における視角と現在の視距離における視角の情報を取得し、取得した視角の情報とテーブルの情報に基づきステップＳ２０８で色差ΔＥを算出するという処理の流れになる。
【００４５】
（Ｓ２０９）
ステップＳ２０９において、色差判定部１０９は、算出した色差ΔＥが許容範囲を超えているか判定する。色差ΔＥが許容範囲を超えていると判定した場合、色差判定部１０９は、ステップＳ２１０に進み、許容範囲内と判定した場合、色差判定部１０９は、ステップＳ２１１に進む。実施例１では、色差ΔＥの閾値を１．２とし、色差ΔＥが閾値以上のとき許容範囲を超えていると判定する。これは、ユーザが基準視距離に対し、閾値以上の色差ΔＥを生じさせるほど大幅に動いてしまった場合には、ユーザの視覚特性の測定結果の補正が必要と判定することを意味する。上記の例では、色差ΔＥは０．１６なので、閾値より小さく、許容範囲内と判定される。従って、ユーザの視覚特性の測定結果の補正は行われず、処理はステップＳ２１１に進む。
【００４６】
（Ｓ２１１）
ステップＳ２１１において、視覚特性測定制御部１０４は、印刷評価パッチ３０２の色と、画像パッチ３０５の色とが一致しているか判定する。ユーザが、図３（Ｃ）に示す中央の白色パッチ３１５を選択した場合に、視覚特性測定制御部１０４は、印刷評価パッチ３０２の色と画像パッチ３０５の色とが一致したと判定する。これは、ユーザにとって印刷評価パッチ３０２の白色パッチと見えの色が一致する画像パッチは白色パッチ３１５であるということを意味する。一致したと判定した場合、視覚特性測定制御部１０４は、ステップＳ２１２に進み、一致していないと判定した場合、視覚特性測定制御部１０４は、ステップＳ２０３に戻る。ここではユーザは白色パッチ３１４を選択したため、視覚特性測定制御部１０４は、一致していないと判定し、ステップＳ２０３の処理に戻る。
【００４７】
ステップＳ２０３において、パッチ表示部１０３は、図７（Ｂ）に示すように、ユーザが選択した白色パッチ３１４のＬａｂ色空間上の座標７０４から４方向にずれた座標７０
５〜７０８をもつ異なる色の白色パッチを画面に表示させる。図７（Ｂ）に示すように、２回目のパッチ選択で新たに表示される白色パッチは、１回目のパッチ選択でユーザが選択した白色パッチの色度７０４を中心として、ａｂ軸方向に対してそれぞれ斜め４５度方向にずれた座標をもつ白色パッチであるとする。ここでは、パッチ表示部１０３は、１回目のパッチ選択でユーザが選択したパッチを中央の白色パッチ３１１として表示させる。このように、複数回のパッチ選択を繰り返す場合、パッチ表示部１０３は、前回のパッチ選択でユーザが選択したパッチと同色のパッチを中央のパッチ３１１として今回のパッチ選択で表示させる。こうして複数回のパッチ選択を繰り返し、ユーザが中央のパッチ３１１を選択すると、ステップＳ２１１で、印刷評価パッチ３０２の色と画像パッチ３０５の色とが一致したと判定されることになる。なお、このような画像パッチ３０５の表示方法は一例であり、これに限られない。
【００４８】
ここで、２回目のステップＳ２０４のパッチ選択のときにユーザが画面に近づいてしまい、視距離が１回目のパッチ選択時の５８ｃｍから４０ｃｍに変化したとして説明する。この場合、ステップＳ２０５で、視角算出部１０８は、視距離センサ１０６から現在の視距離が４０ｃｍであるという測定結果を取得し、現在の視距離における視角を算出する。視距離４０ｃｍのときの視角は、式４より７．１４となる。次にステップＳ２０６において、基準視距離における視角での白色パッチの見えの色と現在の視距離における視角での白色パッチの見えの色との色差ΔＥを算出する。図６の表を参照して、基準視距離（５度視野）における見えの色と視角が７．１４の場合の見えの色との色差を線形補間により算出すると、色差ΔＥ＝３．１７となる。この場合、算出された色差ΔＥが、測定結果を補正するか否かの閾値１．２以上であるため、色差判定部１０９は、色差ΔＥが許容範囲を超えていると判定する。色差ΔＥが許容範囲を超えている場合、色差判定部１０９は、測定値補正部１１２に色差ΔＥの情報を出力し、視覚特性の測定結果を補正するための補正値の算出を指示する。
【００４９】
（Ｓ２１０）
ステップＳ２１０において、測定値補正部１１２は、色差判定部１０９から取得した色差ΔＥの値に基づいて、測定結果を補正する。図６の表を参照して、基準視距離における視角が５度視野、現在の視距離における視角が７度視野として説明する。Ｌａｂ値を参照すると、基準視距離（５度視野）で白色パッチを観察した場合と比較して、２回目の測定のパッチ選択時の視距離（７度視野）で同じ白色パッチを観察した場合には、見えの色がＬａｂ値でａ２＝２．７２、ｂ２＝−０．４６ずれている。測定値補正部１１２は、式６に基づき、測定結果（基準視距離における色度）ａ１、ｂ１を、基準視距離における色度と現在の視距離における色度との差分ａ２、ｂ２に基づき補正し、補正値ａ’，ｂ’を算出する。ここでは、基準視距離は５度視野であり、現在の視距離は７度視野であるから、差分はａ２＝２．７２、ｂ２＝−０．４６となる。ｒは補正の度合いを示す補正係数であり０．０〜１．０の範囲で任意の値をとる。ここでは、ｒ＝０．８として説明する。
【数６】
2015173891.tif 000008
【００５０】
ここで、２回目のＳ２０４のパッチ選択においてユーザが選択した白色パッチは、図７（Ｂ）の符号７０５の白色パッチであるとする。この白色パッチの５度視野における色度が、ａ１＝−１．８０、ｂ１＝−１．２０とする。すなわち、この場合、測定結果はａ１＝−１．８０、ｂ１＝−１．２０ということになる。測定値補正部１１２は、この測定結果を式６を用いて補正する。補正値は、ａ’＝−３．９８、ｂ’＝−０．８３となる。測定値補正部１１２は、このようにして求めた補正値ａ’、ｂ’を視覚特性測定制御部１０４に出力する。ユーザが選択した白色パッチの補正後の色度を、図７（Ｃ）の符号７０９
で示す。これは、もしユーザが動かず、視距離が基準視距離のままであれば、ユーザは色度７０９の白色パッチを選択したであろう、ということを表す。ステップＳ２１０において視覚特性の測定結果の補正を行った後、ステップＳ２１１において、ユーザが選択したパッチが印刷評価パッチ３０２と一致したか判定が行われ、致したと判定された場合には、ステップＳ２１２に進む。
【００５１】
（Ｓ２１２）
ステップＳ２１２において、視覚特性測定制御部１０４は、ステップＳ２０４のパッチ選択結果とステップＳ２１０の測定値補正部１１２による補正値に基づき、最終的なユーザの視覚特性の測定結果を求め、出力する。例えば、上記の２回目のパッチ選択においてユーザが図７（Ｂ）の符号７０５の白色パッチを選択したとする。この場合、符号７０５の色度を中心として図７（Ｂ）と同様に４方向に色が異なる白色パッチを含む５つの白色パッチから構成される画像パッチ３０５により３回目のパッチ選択が行われる。ここで中心のパッチ３１１の色度は符号７０５の色度に設定される。この３回目のパッチ選択においてユーザが中心のパッチ３１１を選択した場合、ステップＳ２１１において一致したと判定される。このときの視距離が２回目と同様４０ｃｍであったとすると、ステップＳ２０９で視距離の変動が許容範囲を超えていると判断され、ステップＳ２１０で測定結果の補正が行われ、ａ’＝−３．９８、ｂ’＝−０．８３という補正値が算出される。そして、ステップＳ２１２で、視覚特性測定制御部１０４は、この補正値を最終的なユーザの視覚特性の測定結果ａ＝−３．９８、ｂ＝−０．８３として出力する。
【００５２】
以上のように、実施例１では、ユーザの視覚特性の測定中に、ユーザが動いた場合、視角の変化により見えの色に生じる変化を考慮して測定結果を補正するので、ユーザの視覚特性の測定を精度良く行うことができる。
【００５３】
なお、実施例１では、Ｌａｂ値の色度について補正したが、輝度Ｌについても同様に、視距離、等色関数、画像表示装置１００の分光特性Ｓ（λ）に基づき補正してもよい。また、基準視距離決定部１０７は、１回目の測定時の視距離を基準視距離としてもよいし、複数の測定時の視距離の平均を基準視距離としてもよい。また、等色関数記憶部１１０に種々の年齢に応じた等色関数の情報を記憶させておき、ユーザにユーザ指示部１０５を用いて年齢の情報を入力させ、色差判定部１０９が年齢に応じた等色関数を取得するようにしてもよい。あるいは、図６に示すテーブルを予め求めて記憶させておく場合に、年齢に応じた複数種類のテーブルを予め求めて記憶させておくようにしても良い。これにより、ユーザの視覚特性をより精度良く測定することができる。また、年齢によって色差の許容範囲（色差の閾値）を異ならせてもよい。例えば、実施例１では、色差の許容範囲の閾値を１．２としたが、図１３のように年齢が２０歳の場合の色差ΔＥの閾値を１．５、年齢が３０歳の場合の色差ΔＥの閾値を１．２として、色差判定部１０９が年齢に応じた判定をしてもよい。また、実施例１では、画像表示装置１００に所定の色票を表示させた場合の分光特性Ｓ（λ）を予め計測しておき、分光特性記憶部１１１に保持しておく例を説明した。この場合、分光特性Ｓ（λ）を測定したときに表示させた色票と、実際の視覚特性の測定処理で表示させるパッチとが異なる場合もあり得る。そこで、画像表示装置１００に分光測色器を備え、画像表示装置１００に実際の測定処理で用いるパッチを表示させたときの分光特性を取得するようにしてもよい。
【００５４】
また、パッチサイズが一定であれば、図１３に示すように、色差ΔＥの許容範囲は、基準視距離に対する視距離の許容変動幅として考えることもできる。このことから、色差判定部１０９は、色差ΔＥを算出して閾値と比較して測定結果の補正の要否を判定する代わりに、基準視距離と現在の視距離との差を閾値と比較して測定結果の補正の要否を判定するようにしても良い。
【００５５】
（実施例２）
実施例２では、ユーザが動いて基準視距離における見えの色に対して閾値以上の色差が生じた場合には、変化した視角に応じて、画面に表示する画像パッチの色を補正する例について説明する。実施例２における画像表示装置８００の処理ブロックの構成を図８に示す。実施例１の構成との違いは、実施例１の測定値補正部１１２が実施例２の構成には存在せず、実施例２にはパッチ補正部８１０が存在する点である。他の処理ブロックの機能は実施例１と同じであるため、詳細な説明を省略する。
【００５６】
≪処理ブロック≫
（パッチ補正部８１０）
パッチ補正部８１０は、色差判定部１０９が算出した基準視距離における見えの色と現在の視距離における見えの色との色差に基づき、パッチの色の補正値を算出して、パッチ表示部１０３に出力する。
【００５７】
≪処理フロー≫
実施例２における処理フローについて図９を用いて説明する。実施例２は、ユーザの視覚特性を測定中は常に視距離センサでユーザの位置を監視する。ユーザが一定以上動いたら、基準視距離で補正前の画像パッチを見たときと、現在の視距離で補正後の画像パッチを見たときとで、同じ色に知覚されるように、表示中の画像パッチ３０５の色を補正する。
【００５８】
（Ｓ２０１〜Ｓ２０３）
図９のステップＳ２０１〜Ｓ２０３の処理は実施例１と同様である。まず、ステップＳ２０１において基準視距離を設定し、ステップＳ２０２でユーザが印刷評価パッチ３０２を設置し、ステップＳ２０３において、パッチ表示部１０３が印刷評価パッチ３０２と比較するための画像パッチ３０５を表示する。画像パッチを表示したら、視覚特性測定制御部１０４は視角算出部１０８に視角を算出するように指示する。
【００５９】
（Ｓ９１０）
ステップＳ９１０において、視角算出部１０８は視距離センサから現在の視距離を取得する。実施例１との違いは、ユーザの視覚特性の測定中は常に視距離センサにより現在の視距離を監視して視角を算出して、視角算出部１０８は視角の情報を色差判定部１０９に出力することである。
【００６０】
（Ｓ９２０）
ステップＳ９２０において、色差判定部１０９は、視角算出部１０８から定期的に送られてくる視角の情報に基づいて、実施例１と同様に等色関数記憶部１１０から現在の視角に一致する等色関数の情報を取得する。
【００６１】
（Ｓ９３０）
ステップＳ９３０において、色差判定部１０９は分光特性記憶部１１１から所定のパッチを表示したときの画像表示装置８００の分光特性Ｓ（λ）を取得する。
【００６２】
（Ｓ９４０）
ステップＳ９４０において、色差判定部１０９は現在の視角に対応する等色関数と分光特性Ｓ（λ）に基づいて、基準視距離における見えの色に対する現在の視距離における見えの色の色差ΔＥを算出する。なお、ステップＳ９２０〜ステップＳ９４０の色差の計算は、実施例１と同様、図６に示すようなテーブルを参照することによって行っても良い。
【００６３】
（Ｓ９５０）
ステップＳ９５０において、色差判定部１０９は、ステップＳ９４０で算出した色差ΔＥが許容範囲を超えているか（ΔＥ≧閾値（ここでは１．２）であるか）判定する。許容範囲を超えていると判定した場合、色差判定部１０９は、色差ΔＥの情報をパッチ補正部８１０に出力して、ステップＳ９６０に進む。ここでは、基準視距離が５７ｃｍ（視角５．０１）、現在の視距離が４８ｃｍ（視角５．９４）であるとする。この場合、図６のテーブルに基づき色差を求めるとΔＥ＝１．５であることから、許容範囲を超えていると判定される。
【００６４】
（Ｓ９６０）
ステップＳ９６０において、パッチ補正部８１０は、基準視距離における視角（ここでは５度視野）での見えの色と同じ色になるように、画像パッチ３０５の色度を変更するように、パッチ表示部１０３に指示する。図６を参照すると、現在の視距離４８ｃｍ（視角５．９４）での見えの色と、基準視距離５７ｃｍ（視角５．０１）での見えの色との差は、Ｌａｂ値でａ＝１．４８、ｂ＝−０．２４である。そこで、パッチ補正部８１０はパッチ表示部１０３に対して、現在表示している画像パッチ３０５の色度を、ａ＝―１．４８、ｂ＝＋０．２４補正するように指示する。パッチ表示部１０３は、パッチ補正部８１０からの指示を受けて、補正値に基づきパッチの色を補正する。
【００６５】
（Ｓ９７０）
実施例２では、ユーザが画像パッチを選択するまでは、ステップＳ９１０〜ステップＳ９６０までの処理を繰り返す。ユーザが画像パッチを選択すると、ステップＳ２１１に進み、印刷評価パッチ３０２の色と画像パッチ３０５の色が一致したか判定する。一致したと判定した場合、処理はステップＳ２１２に進み、一致していないと判定した場合、処理はステップＳ２０３に戻る。実施例２では視覚特性の測定結果の補正は行われない。従って、例えば、ユーザによるパッチ選択が２回繰り返され、１回目で図７（Ａ）の符号７０４の色度のパッチが選択され、２回目で図７（Ｂ）の符号７０５の色度のパッチが選択されたとする。この場合、視覚特性測定制御部１０４が出力するユーザの視覚特性の測定結果は、符号７０５の色度ａ＝―１．８、ｂ＝−１．２となる。
【００６６】
以上のように、実施例２では、ユーザの視覚特性の測定中に、ユーザが動いたことによってパッチの見えの色に大きな変動がないか監視し、大きな変動があった場合に画像パッチの色を基準視距離で見たときの色と同じになるように補正する。これにより、ユーザの視覚特性の測定中にユーザが動いても、視角の変化に起因する見えの色の変動により測定精度が低下することを抑制できる。
【００６７】
（実施例３）
実施例３では、基準視距離から一定以上離れたらユーザの視覚特性の測定を一時停止し、基準視距離から一定距離以内になったら測定を再開する例について説明する。
≪処理ブロック≫
実施例３における画像表示装置１０００の構成を図１０に示す。実施例１の画像表示装置１００の構成との違いは、色差判定部１０９が、視覚特性測定制御部１０４に対して、測定の一時停止または一時停止状態からの再開を指示することである。また、実施例１の測定値補正部１１２は実施例３の画像表示装置１０００には存在しない。
【００６８】
≪処理フロー≫
図１１に示す実施例３における処理フローについて説明する。実施例３の処理フローと実施例２の処理フローとの相違点は、ステップＳ１１００の処理である。その他は実施例２の処理フローと同様である。ここでは主として実施例２の処理フローとの相違点を説明する。
【００６９】
（ステップＳ１１００）
ステップＳ９５０において、色差判定部１０９により、色差ΔＥが許容範囲を超えている（ΔＥ≧閾値（ここでは１．２））と判定された場合に、処理はステップＳ１１００に進む。ステップＳ１１００において、色差判定部１０９は視覚特性測定制御部１０４に対して、ユーザの視距離が基準視距離から大きくずれているのでユーザの視覚特性の測定処理を一時的に停止するよう指示する。視覚特性測定制御部１０４は、測定処理の一時停止の指示を受け取ると、パッチ表示部１０３に対して、図１２に示すような、ユーザに視距離が大きくずれていることを通知するメッセージを表示するよう指示する。例えば、ユーザが画面に近づきすぎている場合には、図１２（Ａ）のようなメッセージを表示して、ユーザが画面から離れるように促す。一方、ユーザが画面から離れすぎている場合には、図１２（Ｂ）のようなメッセージを表示して、ユーザが画面に近づくように促す。ユーザが画面に近づきすぎているか離れすぎているかを判断するために、視覚特性測定制御部１０４又はパッチ表示部１０３は、視距離センサ１０６から定期的に視距離の情報を取得し、基準視距離と比較するようにしても良い。あるいは、色差判定部１０９が、視覚特性の測定処理の一時停止指示とともに、現在の視距離と基準視距離の情報、現在の視距離と基準視距離の大小関係の情報などを視覚特性測定制御部１０４に通知するようにしても良い。
【００７０】
また、ユーザが基準視距離に対しどの程度の位置にいるかを示すＧＵＩである視距離インジケータ１１１０を表示してもよい。図１２（Ａ），図１２（Ｂ）の例では、視距離インジケータ１１１０は、基準視距離を示すＧＵＩ部品１１３０，許容最短視距離を示すＧＵＩ部品１１２０、許容最長視距離を示すＧＵＩ部品１１４０を含む。また、現在のユーザの視距離を目盛りによって示しても良い。このようなＧＵＩ表示を実現するために、視覚特性測定制御部１０４又はパッチ表示部１０３は、視距離センサ１０６から定期的に視距離の情報を取得し、視距離インジケータ１１１０を更新しても良い。あるいは、色差判定部１０９が、視覚特性の測定処理の一時停止指示とともに、現在の視距離の情報を視覚特性測定制御部１０４に通知するようにしても良い。
【００７１】
ステップＳ１１００の後、処理はステップＳ９１０に戻る。ユーザが基準視距離に近づき、ステップＳ９５０において色差判定部１０９が算出する色差ΔＥが閾値よりも小さくなったら、処理はステップＳ１１０１に進む。ステップＳ１１０１では、色差判定部１０９は視覚特性測定制御部１０４に対して、測定を一時停止中であれば図１２（Ａ）又は図１２（Ｂ）の表示を消去するとともに測定を再開するよう指示する。その後、処理はステップＳ９７０に進む。
【００７２】
以上のように、実施例３では、ユーザの視覚特性の測定中に、ユーザが動いたことによってパッチの見えの色に大きな変動がないか監視し、大きな変動があった場合に測定を一時停止して、ユーザに適切な視距離に移動することを支援する通知を行う。これにより、視角の変化に起因する見えの色の変動により測定精度が低下することを抑制できる。
【００７３】
上記の実施例では、ユーザの視覚特性の測定処理を行う機能を画像表示装置が備えている例を示したが、本発明の実施の形態はこれに限らない。例えば、コンピュータが、各実施例で説明したユーザの視覚特性の測定処理を実行しても良い。その場合、当該コンピュータはユーザの視覚特性を測定する測定装置としての本発明の実施形態である。図１では、測定結果は画像表示制御部へ入力されるが、ユーザの視覚特性を測定する測定装置として本発明を実施した場合、測定装置は測定結果を外部に出力するよう構成しても良い。図１５はそのような構成の実施形態を模式的に示す図である。図１５において、測定装置１５２０は、上述した各実施例の機能を有するコンピュータ等の測定装置であり、測定装置１５２０は測定結果を画像表示装置１５００へ出力する。画像表示装置１５００は、測定装置１５２０から受け取ったユーザの視覚特性の測定結果に基づき、表示部１５５０の画像表示を制御する表示制御部１５１０を有する。このように構成された画像表示装置１５
００を用いて印刷物１５３０の色の見えをシミュレーションすることにより、ユーザ１５４０は、画像表示装置１５００上で印刷物１５３０の仕上がりを精度良く確認することが可能になる。また、ユーザ１５４０が変わっても、ユーザ毎に視覚特性の測定結果を測定装置１５２０から受け取り、ユーザ毎に視覚特性に応じて表示部１５５０の表示を制御することにより、どのユーザも同じ画像を同じ色に感じることができる。視距離センサ１０６は画像表示装置１５００に内蔵されていても良いし、外付けであっても良い。視距離センサ１０６が画像表示装置１５００に内蔵されている場合、視距離の測定結果の情報を画像表示装置１５００から取得するために、測定装置１５２０と画像表示装置１５００とをデータ通信可能なケーブル等で接続する構成としても良い。ユーザ指示部１０５は、測定装置１５２０に接続されたキーボードやマウス等の入力装置とすることができる。上記実施例では、印刷評価パッチ３０２と画像パッチ３０５を比較することでユーザの視覚特性を測定する方法に本発明を適用した例を説明した。しかし、画像表示装置の画面に表示させた色票を用いてユーザの視覚特性を測定する方法であれば実施例で説明した方法に限らず本発明を適用できる。
【００７４】
（その他の実施形態）
本発明は、記憶媒体に記録された、コンピュータにより実行可能な命令を、読み出し実行することで上述した本発明の実施形態に記載した１以上の機能を行うシステムや装置のコンピュータによっても、実施することができる。ここで、記憶媒体は、非一時的にデータを保持するコンピュータ読取可能な記憶媒体である。本発明はまた、システムや装置のコンピュータによって行われる方法であって、例えばコンピュータにより実行可能な命令を記憶媒体から読み出し実行することで上述した本発明の実施形態に記載した１以上の機能が行われる、方法によっても実施することができる。コンピュータは、１以上のＣＰＵ（Central Processing Unit）、ＭＰＵ（Micro Processing Unit）、その他の回路により構成される。更に別個の複数のコンピュータや別個のコンピュータプロセッサのネットワークを含んでも良い。コンピュータにより実行可能な命令は、例えば、ネットワークや記憶媒体からコンピュータに提供されても良い。記憶媒体は、例えば、１以上の、ハードディスク、ＲＡＭ（Random-Access Memory）、ＲＯＭ（Read Only Memory）、分散コンピューティングシステムの記憶装置を含んでも良い。記憶媒体はまた、光学ディスク（例えばＣＤ（Compact Disc）、ＤＶＤ（Digital Versatile Disc）、ＢＤ（Blu-ray（登録商標
）Disc））、フラッシュメモリ、メモリカードを含んでも良い。実施例を参照して本発明を説明したが、本発明は実施例の開示に限定されないものと解されるべきである。本発明は、実施例に対する本発明の範囲内のあらゆる変形や等価な構造や機能を包含するよう最も広く解釈されるべきものである。
【符号の説明】
【００７５】
１００：画像表示装置、１０４：視覚特性測定制御部、１０６：視距離センサ、１０９：色差判定部、１１２：測定値補正部
【図１】
2015173891.tif 000009
【図２】
2015173891.tif 000010
【図３】
2015173891.tif 000011
【図４】
2015173891.tif 000012
【図５】
2015173891.tif 000013
【図６】
2015173891.tif 000014
【図７】
2015173891.tif 000015
【図８】
2015173891.tif 000016
【図９】
2015173891.tif 000017
【図１０】
2015173891.tif 000018
【図１１】
2015173891.tif 000019
【図１２】
2015173891.tif 000020
【図１３】
2015173891.tif 000021
【図１４】
2015173891.tif 000022
【図１５】
2015173891.tif 000023